(57)【要約】【課題】  光ディスクに特殊な加工を施すことなく、光ディスクが表裏反転した状態で装着されている場合に、光ディスクの表裏が反転していることを報知することができるようにする。【解決手段】  光ディスクを識別するラベルを印刷又は貼付するラベル面に、光ディスクの表裏を識別する表裏識別データを記録する表裏識別データ記録領域を設け、表裏識別データ記録領域に光ディスクの表裏を識別する表裏識別データを記録して、光ディスクがディスク装置に装着されたとき、光ディスクの表裏識別データを表裏識別データ記録領域から読み出し、表裏識別データが読み出された場合、光ディスクが表裏反転してディスク装置に装着されていることを画面に表示して、その旨をユーザに報知するようにする。【選択図】        図２
2007102952.tif 000002
【特許請求の範囲】
【請求項１】
情報データを記録する記録面と光ディスクを識別するラベル面とを有する光ディスクであって、
光ディスクのラベル面に設けられた光ディスクを識別するラベルを印刷又は貼付するラベル領域と、前記ラベル領域の内周側で、光ディスクの記録面のリードイン領域と重なる位置の裏面に設けられ、光ディスクの表裏を識別する表裏識別データを記録する光ディスクのラベル面に設けられた表裏識別データ記録領域とを有することを特徴とする光ディスク。
【請求項２】
情報データを記録する記録面と光ディスクを識別するラベル面とを有する光ディスクであって、
光ディスクのラベル面に設けられた光ディスクを識別するラベルを印刷又は貼付するラベル領域と、光ディスクの表裏を識別する表裏識別データを記録する光ディスクのラベル面に設けられた表裏識別データ記録領域とを有することを特徴とする光ディスク。
【請求項３】
前記表裏識別データ記録領域は、前記ラベル領域の内周側に設けられていることを特徴とする請求項２記載の光ディスク。
【請求項４】
前記表裏識別データ記録領域は、光ディスクの記録面のリードイン領域と重なる位置の裏面に設けられていることを特徴とする請求項２記載の光ディスク。
【請求項５】
光ディスクに情報データを記録再生するディスク装置であって、
光ディスクの裏面を示す表裏識別データを光ディスクの表裏識別データ記録領域から読み出す第１の読出手段と、前記第１の読出手段により前記表裏識別データが読み出された場合、光ディスクが表裏反転した状態でディスク装置に装着されていると判別する第１の判別手段と、前記第１の判別手段により光ディスクが表裏反転した状態でディスク装置に装着されていると判別された場合、光ディスクが表裏反転してディスク装置に装着されていることを画面に表示する第１の表示手段と、情報データを光ディスクのユーザデータ記録領域から読み出す第２の読出手段と、前記第２の読出手段により情報データが読み出されない場合、光ディスクが表裏反転した状態でディスク装置に装着されていると判別する第２の判別手段と、前記第２の判別手段により光ディスクが表裏反転した状態でディスク装置に装着されていると判別された場合、前記表裏識別データを光ディスクの表裏識別データ記録領域に書き込む書込手段と、前記第２の判別手段により光ディスクが表裏反転した状態でディスク装置に装着されていると判別された場合、光ディスクが表裏反転してディスク装置に装着されていることを画面に表示する第２の表示手段とを備えたことを特徴とするディスク装置。
【請求項６】
光ディスクに情報データを記録再生するディスク装置であって、
光ディスクの裏面を示す表裏識別データを光ディスクの表裏識別データ記録領域から読み出す第１の読出手段と、前記第１の読出手段により前記表裏識別データが読み出された場合、光ディスクが表裏反転した状態でディスク装置に装着されていると判別する第１の判別手段と、前記第１の判別手段により光ディスクが表裏反転した状態でディスク装置に装着されていると判別された場合、光ディスクが表裏反転してディスク装置に装着されていることを画面に表示する第１の表示手段とを備えたことを特徴とするディスク装置。
【請求項７】
前記表裏識別データが読み出されない場合、情報データを光ディスクのユーザデータ記録領域から読み出す第２の読出手段と、前記第２の読出手段により情報データが読み出されない場合、光ディスクが表裏反転した状態でディスク装置に装着されていると判別する第２の判別手段と、前記第２の判別手段により光ディスクが表裏反転した状態でディスク装置に装着されていると判別された場合、前記表裏識別データを光ディスクの表裏識別データ記録領域に書き込む書込手段と、前記第２の判別手段により光ディスクが表裏反転した状態でディスク装置に装着されていると判別された場合、光ディスクが表裏反転してディスク装置に装着されていることを画面に表示する第２の表示手段とを更に備えたことを特徴とする請求項６記載のディスク装置。
【発明の詳細な説明】
【技術分野】
【０００１】
本発明は、光ディスクに情報データを記録再生する光ディスク及びディスク装置に係り、特にディスク装置のターンテーブルに装着された光ディスクの表裏を容易に判別することができる光ディスク及びディスク装置に関する。
【背景技術】
【０００２】
近年、記憶容量の大きい光ディスクが映像音声データ、情報データの記録媒体として多く利用されている。光ディスクには、再生専用のＤＶＤ−ＲＯＭ（Ｄｉｇｉｔａｌ  Ｖｅｒｓａｔｉｌｅ  Ｄｉｓｋ−Ｒｅａｄ−Ｏｎｌｙ  Ｍｅｍｏｒｙ）、ＣＤ（Ｃｏｍｐａｃｔ  Ｄｉｓｋ）−ＲＯＭ、追記型のＤＶＤ−Ｒ（Ｒｅｃｏｒｄａｂｌｅ）、ＣＤ−Ｒ、書き換え可能なＤＶＤ−ＲＷ（ＲｅＷｒｉｔａｂｌｅ）、ＤＶＤ−ＲＡＭ（Ｒａｎｄｏｍ  Ａｃｃｅｓｓ  Ｍｅｍｏｒｙ）、ＣＤ−ＲＷ等がある。光ディスクは、中央にディスク装置のターンテーブルに装着するためのセンタホールが設けられ、そのセンタホールの周囲に光ディスクをクランプするためのクランプ領域が設けられ、その外側にリードイン領域、データ記録領域、リードアウト領域がそれぞれ設けられている。光ディスクをディスク装置のターンテーブルに装着する際、光ディスクの記録面側が光ピックアップ側になるようにディスク装置のターンテーブルに装着するようになっている。しかし、光ディスクは表裏を反転した状態でもディスク装置のターンテーブルに装着することができるため、ユーザが誤って光ディスクを表裏反転した状態でディスク装置のターンテーブルに装着した場合、ディスクエラーが画面に表示されるのみであり、ユーザが光ディスクを表裏反転した状態でディスク装置のターンテーブルに装着したことに気付かず、ディスク装置の不具合が発生したと勘違いするという問題点があった。
背景技術としては、２枚の透明基板の間に記録層を設け、表面と裏面の両方から光ビームを照射可能にデータパターンを形成して、データパターンが形成された領域の表裏両方の面からデータを再生し、再生されたデータの配列方向の違いから光ディスクの表裏を判別するようにしたものがあった（例えば、特許文献１参照）。
また、光ディスクの表面又は裏面の一方の面のデータ記録領域より外側のハンドリングする際に手で触れる箇所に複数の凹みを設けて、光ディスクを装着する際に、光ディスクに設けられた凹みを感覚的に識別して、光ディスクの表裏を判別するようにしたものがあった（例えば、特許文献２参照）。
また、光ディスクの記録面側と非記録面側とで光の反射率が異なるようにして、光ディスクが表裏反転した状態で装着されたとき、光ディスクからの反射光の強弱を検出して光ディスクの表裏を判別するようにしたものがあった（例えば、特許文献３参照）。
また、光ディスクのデータ記録領域以外の領域にバーコードを刻印し、光ディスクに刻印されたバーコードを所定方向より読み取って、読み取られたバーコードのデータにより光ディスクの表裏を判別するようにしたものがあった（例えば、特許文献４参照）。
【特許文献１】特開平９−１２０５４１号公報
【特許文献２】特開２００２−２１６４５４号公報
【特許文献３】特開平８−２７９１８９号公報
【特許文献４】特開平１０−３２０９５９号公報
【発明の開示】
【発明が解決しようとする課題】
【０００３】
しかしながら、背景技術で述べたもののうち最初のものにおいては、２枚の透明基板の間に記録層を設け、表面と裏面の両方から光ビームを照射可能にデータパターンを形成して、データパターンが形成された領域の表裏両方の面からデータを再生し、再生されたデータの配列方向の違いから光ディスクの表裏を判別することができたが、光ディスクの製造時に、光ディスクの表裏を判別するためのデータパターンを光ディスクの記録層に形成しなければならないという問題点があった。
また、次のものにおいては、光ディスクの表面又は裏面の一方の面のデータ記録領域より外側のハンドリングする際に手で触れる箇所に複数の凹みを設けて、光ディスクを装着する際に、光ディスクに設けられた凹みを感覚的に識別して、光ディスクの表裏を判別することができたが、光ディスクの表面又は裏面の外周に光ディスクの表裏を識別するための複数の凹みを設けなければならないという問題点があった。
また、更にその次のものにおいては、光ディスクの記録面側と非記録面側とで光の反射率が異なるようにして、光ディスクが表裏反転した状態で装着されたとき、光ディスクからの反射光の強弱を検出して光ディスクの表裏を判別することができたが、光ディスクの表面と裏面とで光の反射率が異なるように処理を施さなければならないという問題点があった。
また、更にその次のものにおいては、光ディスクのデータ記録領域以外の領域にバーコードを刻印し、光ディスクに刻印されたバーコードを所定方向より読み取って、読み取られたバーコードのデータにより光ディスクの表裏を判別することができたが、光ディスクのデータ記録領域以外の領域に光ディスクの表裏を判別するためのバーコードを刻印しなければならないという問題点があった。
本発明は、背景技術の有するこのような問題点に鑑みてなされたものであり、その目的とするところは、光ディスクに特殊な加工を施すことなく、光ディスクが表裏反転した状態で装着されている場合に、光ディスクの表裏が反転していることを報知することができる光ディスク及びディスク装置を提供しようとするものである。
【課題を解決するための手段】
【０００４】
上記目的を達成するため本発明においては、光ディスクは、光ディスクのラベル面に設けられた光ディスクを識別するラベルを印刷又は貼付するラベル領域と、光ディスクの表裏を識別する表裏識別データを記録する光ディスクのラベル面に設けられた表裏識別データ記録領域とを有する。
前記表裏識別データ記録領域は、前記ラベル領域の内周側に設けるようにするとよい。
また、前記表裏識別データ記録領域は、光ディスクの記録面のリードイン領域と重なる位置の裏面に設けるようにするとよい。
また、本発明のディスク装置は、光ディスクに情報データを記録再生するディスク装置であって、光ディスクの裏面を示す表裏識別データを光ディスクの表裏識別データ記録領域から読み出す第１の読出手段と、前記第１の読出手段により前記表裏識別データが読み出された場合、光ディスクが表裏反転した状態でディスク装置に装着されていると判別する第１の判別手段と、前記第１の判別手段により光ディスクが表裏反転した状態でディスク装置に装着されていると判別された場合、光ディスクが表裏反転してディスク装置に装着されていることを画面に表示する第１の表示手段とを備える。
更に、前記表裏識別データが読み出されない場合、情報データを光ディスクのユーザデータ記録領域から読み出す第２の読出手段と、前記第２の読出手段により情報データが読み出されない場合、光ディスクが表裏反転した状態でディスク装置に装着されていると判別する第２の判別手段と、前記第２の判別手段により光ディスクが表裏反転した状態でディスク装置に装着されていると判別された場合、前記表裏識別データを光ディスクの表裏識別データ記録領域に書き込む書込手段と、前記第２の判別手段により光ディスクが表裏反転した状態でディスク装置に装着されていると判別された場合、光ディスクが表裏反転してディスク装置に装着されていることを画面に表示する第２の表示手段とを備える。
これらの手段等により、光ディスクに特殊な加工を施すことなく、光ディスクが表裏反転した状態で装着されている場合に、光ディスクの表裏が反転していることを報知することができる。
【発明の効果】
【０００５】
請求項１記載の発明に係る光ディスクによれば、光ディスクを識別するラベルを印刷又は貼付するラベル領域を光ディスクのラベル面に設け、ラベル領域の内周側で、光ディスクの記録面のリードイン領域と重なる位置の裏面に、光ディスクの表裏を識別する表裏識別データを記録する表裏識別データ記録領域を光ディスクのラベル面に設けるようにしているので、光ディスクを識別するラベルを光ディスクのラベル面に印刷又は貼付することができ、光ディスクがディスク装置に装着された光ディスクに情報データを記録再生する際に、光ピックアップが最初に移動されるリードイン領域と重なる位置の裏面の表裏識別データ記録領域から表裏識別データを読み出すことができる。
請求項２記載の発明に係る光ディスクによれば、光ディスクを識別するラベルを印刷又は貼付するラベル領域を光ディスクのラベル面に設け、光ディスクの表裏を識別する表裏識別データを記録する表裏識別データ記録領域を光ディスクのラベル面に設けるようにしているので、表裏識別データ記録領域に書き込まれた表裏識別データを読み出すことにより光ディスクが表裏反転した状態でディスク装置に装着されているか否かを容易に判別することができる。
請求項３記載の発明に係る光ディスクによれば、表裏識別データ記録領域をラベル領域の内周側に設けるようにしているので、光ディスクを識別するラベルを光ディスクのラベル面に印刷又は貼付することができる。
請求項４記載の発明に係る光ディスクによれば、識別データ記録領域を光ディスクの記録面のリードイン領域と重なる位置の裏面に設けるようにしているので、光ディスクがディスク装置に装着された光ディスクに情報データを記録再生する際に、光ピックアップが最初に移動されるリードイン領域と重なる位置の裏面の表裏識別データ記録領域から表裏識別データを読み出すことができる。
請求項５記載の発明に係るディスク装置によれば、光ディスクの裏面を示す表裏識別データを光ディスクの表裏識別データ記録領域から読み出し、表裏識別データが読み出された場合、光ディスクが表裏反転した状態でディスク装置に装着されていると判別して、光ディスクが表裏反転してディスク装置に装着されていることを画面に表示し、情報データを光ディスクのユーザデータ記録領域から読み出し、情報データが読み出されない場合、光ディスクが表裏反転した状態でディスク装置に装着されていると判別して、表裏識別データを光ディスクの表裏識別データ記録領域に書き込み、光ディスクが表裏反転してディスク装置に装着されていることを画面に表示するようにしているので、光ディスクが表裏反転した状態でディスク装置に装着されている場合、光ディスクの表裏が反転していることを報知することができ、光ディスクの表裏識別データが表裏識別領域に書き込まれていない場合に、光ディスクが表裏反転した状態で装着されているとき、表裏識別データを光ディスクの表裏識別データ記録領域に書き込んで、光ディスクの表裏が反転していることを報知することができる。
請求項６記載の発明に係るディスク装置によれば、光ディスクの裏面を示す表裏識別データを光ディスクの表裏識別データ記録領域から読み出し、表裏識別データが読み出された場合、光ディスクが表裏反転した状態でディスク装置に装着されていると判別して、光ディスクが表裏反転してディスク装置に装着されていることを画面に表示するようにしているので、光ディスクが表裏反転した状態でディスク装置に装着されている場合、光ディスクの表裏が反転していることを報知することができる。
請求項７記載の発明に係るディスク装置によれば、表裏識別データが読み出されない場合、情報データを光ディスクのユーザデータ記録領域から読み出し、情報データが読み出されない場合、光ディスクが表裏反転した状態でディスク装置に装着されていると判別して、表裏識別データを光ディスクの表裏識別データ記録領域に書き込み、光ディスクが表裏反転してディスク装置に装着されていることを画面に表示するようにしているので、光ディスクの表裏識別データが表裏識別領域に書き込まれていない場合に、光ディスクが表裏反転した状態で装着されているとき、表裏識別データを光ディスクの表裏識別データ記録領域に書き込んで、光ディスクの表裏が反転していることを報知することができる。
【発明を実施するための最良の形態】
【０００６】
以下、適宜図面を参照しながら本発明を実施するための最良の形態を詳述する。図１は本発明の一実施例のディスク装置の構成を示すブロック図であり、図２は本発明の一実施例の光ディスクの各領域を示す説明図であり、図３は本発明の一実施例のディスク装置の画面表示例を示す図であり、図４は本発明の一実施例のディスク装置の動作を示すフローチャートである。
まず、図１の本発明の一実施例のディスク装置の構成を示すブロック図を基に説明する。
ディスク装置１は、光ディスク２にレーザ光を照射してその反射光を検出し、光ディスク２に記録されている情報データを読み出すとともに、光ディスク２にレーザ光を照射して光ディスク２に情報データを記録する光ピックアップ３と、ターンテーブル４ａに装着された光ディスク２を回転させるスピンドルモータ４と、光ピックアップ３を光ディスク２の半径方向にスレッド移動させるスレッドモータ５と、スピンドルモータ４の回転速度とスレッドモータ５の回転方向、回転速度とをサーボ制御し、光ピックアップ３により検出されたトラッキング誤差信号、フォーカス誤差信号に基づいて光ピックアップ３のトラッキング、フォーカスをサーボ制御するサーボ回路６と、光ピックアップ３により読み出された情報データのＲＦ（Ｒａｄｉｏ  Ｆｒｅｑｕｅｎｃｙ）信号を増幅するとともに、光ディスク２に記録する情報データのＲＦ信号を増幅するＲＦ増幅回路７と、ＲＦ増幅回路７により増幅された情報データのＲＦ信号を基準クロックに基づいて同期検出して復調し、復調された情報データの誤りを訂正して、所定の圧縮方式に基づいて圧縮された情報データを伸張し、伸張された情報データを復号して映像音声信号を再生するとともに、情報データを符号化し、符号化された情報データを所定の圧縮方式に基づいて圧縮する信号処理回路８と、文字情報信号を映像信号に重畳して、文字情報をモニタ装置３０の画面に表示するＯＳＤ（Ｏｎ−Ｓｃｒｅｅｎ  Ｃｈａｒａｃｔｅｒ  Ｄｉｓｐｌａｙ）回路９と、ディスク装置１のシステム全体を制御するマイコン１０と、リモコン装置２０から送信された赤外線信号のリモコン信号を受信して、所定の電気信号に変換するリモコン受信部１１とで構成されている。
また、図２の本発明の一実施例の光ディスクの各領域を示す説明図を基に説明する。
光ディスク２の記録面（以下、表面と呼ぶ）には、図２（ａ）に示すように、情報データを記録するユーザデータ記録領域２ａと、ユーザデータ記録領域２ａの内周側にＴＯＣ（Ｔａｂｌｅ  ｏｆ  ｃｏｎｔｅｎｔｓ）等を記録するリードイン領域２ｂと、ユーザデータ記録領域２ａの外周側にユーザデータ記録領域２ａの終端を示すリードアウト領域２ｃとが設けられている。また、光ディスク２のラベル面（以下、裏面と呼ぶ）には、図２（ｂ）に示すように、光ディスク２を識別するラベルを印刷又は貼付するラベル領域２ｄと、光ディスク２の表裏を識別するための光ディスクの裏面を示す表裏識別データを記録する表裏識別データ記録領域２ｅとが設けられている。なお、表裏識別データ記録領域２ｅは、光ディスク２の記録面のリードイン領域２ｂと重なる位置の裏面に設けられている（図２（ａ）、（ｂ）参照）。
以上のように構成されたディスク装置について、以下その動作について説明する。
光ディスク２がディスク装置１のターンテーブル４ａに装着されると、マイコン１０は、サーボ回路６に制御信号を送出して、スピンドルモータ４を駆動してターンテーブル４ａに装着された光ディスク２を回転させ、スレッドモータ５を駆動して光ピックアップ３を光ディスク２の表裏識別データ記録領域２ｅにスレッド移動させ（図２（ｂ）参照）、光ピックアップ３のトラッキングとフォーカスとをサーボ制御して、光ピックアップ３により光ディスク２の裏面を示す表裏識別データを光ディスク２の表裏識別データ記録領域２ｅから読み出し、表裏識別データが読み出されたか否かを判別する。なお、光ディスク２が表裏反転していない状態で光ディスク装置１のターンテーブル４ａに装着されている場合、表裏識別データが光ディスク２の表面のリードイン領域２ｂから読み出されることになるが、リードイン領域２ｂには表裏識別データが書き込まれていないので、表裏識別データを読み出すことができない。
光ディスクの裏面を示す表裏識別データが読み出された場合、即ち、光ディスク２が表裏反転した状態でディスク装置１のターンテーブル４ａに装着されている場合、マイコン１０は、ＯＳＤ回路９に文字情報信号と制御信号とを送出して、光ディスク２が表裏反転した状態でディスク装置１のターンテーブル４ａに装着されていることをモニタ装置３０の画面３０ａに表示して、その旨をユーザに報知する（図３参照）。これにより、ユーザが光ディスク２をディスク装置１のターンテーブル４ａに装着した際に、光ディスク２が表裏反転した状態でディスク装置１のターンテーブル４ａに装着されている場合、光ディスク２の表裏が反転していることをユーザに報知することができる。
また、光ディスクの裏面を示す表裏識別データが読み出されない場合、即ち、光ディスク２が表裏反転していない状態でディスク装置１のターンテーブル４ａに装着されている場合、或いは、表裏識別データが表裏識別データ記録領域２ｅに書き込まれていない光ディスク２が表裏反転した状態でディスク装置１のターンテーブル４ａに装着されている場合、マイコン１０は、サーボ回路６に制御信号を送出して、スレッドモータ５を駆動して光ピックアップ３を光ディスク２のユーザデータ記録領域２ａにスレッド移動させ（図２（ａ）参照）、光ピックアップ３により情報データを光ディスク２のユーザデータ記録領域２ａから読み出し、光ディスク２が表裏反転した状態でディスク装置１のターンテーブル４ａに装着されているか否かを判別する。
情報データが読み出されない場合、即ち、光ディスク２が表裏反転した状態でディスク装置１のターンテーブル４ａに装着されていて、情報データが光ディスク２のユーザデータ記録領域２ａから読み出すことができない場合、マイコン１０は、サーボ回路６に制御信号を送出して、スレッドモータ５を駆動して光ピックアップ３を表裏識別データ記録領域２ｅにスレッド移動させ（図２（ｂ）参照）、光ピックアップ３により光ディスクの裏面を示す表裏識別データを光ディスク２の表裏識別データ記録領域２ｅに書き込み、ＯＳＤ回路９に文字情報と制御信号とを送出して、光ディスク２が表裏反転してディスク装置１のターンテーブル４ａに装着されていることをモニタ装置３０の画面３０ａに表示して、その旨をユーザに報知する（図３参照）。これにより、ユーザが光ディスク２をディスク装置１のターンテーブル４ａに装着した際に、光ディスク２が表裏反転した状態でディスク装置１のターンテーブル４ａに装着されている場合、光ディスク２の表裏が反転していることをユーザに報知することができる。
また、図４の本発明の一実施例のディスク装置の動作を示すフローチャートを基に説明する。
光ディスクがディスク装置のターンテーブルに装着されると、ステップＳ１からステップＳ２に進み、ステップＳ２で、光ピックアップにより表裏識別データが光ディスクの表裏識別データ記録領域から読み出され、ステップＳ３に進む。
ステップＳ３で、表裏識別データが読み出されたか否かが判断され、表裏識別データが読み出された場合、ステップＳ７に進み、表裏識別データが読み出されない場合、ステップＳ４に進む。
ステップＳ４で、光ピックアップにより光ディスクのユーザデータ記録領域に記録されている情報データが読み出され、ステップＳ５に進む。
ステップＳ５で、情報データが光ディスクのユーザデータ記録領域から読み出されたか否かが判断され、情報データが読み出された場合、ステップＳ８に進んで処理を終了し、情報データが読み出されない場合、ステップＳ６に進む。
ステップＳ６で、光ディスクの裏面を示す表裏識別データが光ディスクの表裏識別データ記録領域に書き込まれて、ステップＳ７に進む。
ステップＳ７で、光ディスクが表裏反転してディスク装置のターンテーブルに装着されていることが画面に表示されて、その旨がユーザに報知され、ステップＳ８に進んで処理を終了する。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のディスク装置の構成を示すブロック図である。
【図２】本発明の一実施例の光ディスクの各領域を示す説明図である。
【図３】本発明の一実施例のディスク装置の画面表示例を示す図である。
【図４】本発明の一実施例のディスク装置の動作を示すフローチャートである。
【符号の説明】
【０００８】
１  ディスク装置
２  光ディスク
２ａ  ユーザデータ記録領域
２ｂ  リードイン領域
２ｃ  リードアウト領域
２ｄ  ラベル領域
２ｅ  表裏識別データ記録領域
３  光ピックアップ
４  スピンドルモータ
４ａ  ターンテーブル
５  スレッドモータ
６  サーボ回路
７  ＲＦ増幅回路
８  信号処理回路
９  ＯＳＤ回路
１０  マイコン
１１  リモコン受信部
２０  リモコン装置
３０  モニタ装置
３０ａ  画面
【図１】
2007102952.tif 000003
【図２】
2007102952.tif 000004
【図３】
2007102952.tif 000005
【図４】
2007102952.tif 000006